(57)【要約】【課題】土間から立ち上がる建築物の基礎や床下構造物又は配管の隙から白蟻が侵入するのをより確実に防止することができる防蟻構造物を提供する。【解決手段】基礎際の土間コンクリート２２に断面矩形の溝２３を形成し、溝２３に断面がＷ形をなすＰＥＴ製のフィルムシート２４を押込んで装着し、フィルムシート内にＥＰＤＭ、熱可塑性エラストマー等のゴム様弾性体よりなる断面Ｗ状のガスケット２５を窄めて押込み、該ガスケット２５の弾発力でフィルムシート２４を溝２３の両側面２１ａ、２３ａに押付け、溝内から白蟻が基礎２１に沿って侵入しないようにする。【選択図】図４
2015129435.tif 000002
【特許請求の範囲】
【請求項１】
土間から立ち上がる建築物の基礎２１、２８、４７や床下構造物の際、或いは上下水道管やガス管等の配管４２の際の土間に形成される溝２３、３４、３５、４４、５３と、該溝２３、３４、３５、４４、５３に装着される役物２６、２７、３２、３８からなり、該役物２６、３２、３８は前記溝２３、３４、３５、４４、５３に押込んで装着され、白蟻が貫通することのできない樹脂製のフィルムシート２４、３３、３６と、前記溝２３、３４、３５、４４に装着された前記フィルムシート２４、３３、３６内に装填されて該フィルムシート２４、３３、３６を前記溝２３、３４、３５、４４、５３の両側面２１ａ、２２ａ、３４ａに押付け、経時変化を起さないか、起し難い材質で形成される装填材とで構成されることを特徴とする防蟻構造。
【請求項２】
土間から立ち上がる建築物の基礎２１、２８、４７や床下構造物の際、或いは上下水道管やガス管等の配管４２の際の土間に形成される溝２３、３４、３５、４４、５３と、該溝２３、３４、３５、４４、５３に装着される役物２６、２７、３２、３８からなり、該役物２６、３２、３８は白蟻が貫通することのできない樹脂製のフィルムシート２４、３３、３６と、該フィルムシート２４、３３、３６で両側面と底面を覆われ、かつ経時変化を起さないか、起し難い装填材とで構成され、役物全体が前記溝２３、３４、３５、４４、５３に押し込んで装着され、フィルムシート２４、３３、３６を前記溝２３、３４、３５、４４、５３の両側面である前記基礎２１、２８、４７や床下構造物の側面２１a、２８ａ又は配管４２の外周面と、土間側の溝内側面２２ａとに押付けた構造をなすことを特徴とする防蟻構造。
【請求項３】
土間が土間コンクリート２２、４３、４６であり、溝２３、３４、３５、４４、５３が断面矩形をなすことを特徴とする請求項１又は２記載の防蟻構造。
【請求項４】
役物２６、２７、３２、３８のフィルムシート２４、３３がポリエチレンテレフタレートＰＥＴ製であることを特徴とする請求項１ないし３のいずれかの請求項に記載の防蟻構造。
【請求項５】
役物２６、２７、３２、３８の装填材はＥＰＤＭ、熱可塑性エラストマー等のゴム様弾性体又は樹脂製の弾性体であることを特徴とする請求項１ないし４のいずれかの請求項に記載の防蟻構造。
【請求項６】
役物３８の装填材はＥＰＤＭ又は熱可塑性エラストマー等のゴム様弾性体よりなり、開口を上向きにして前記溝３５に装着のフィルム内に装填されるコ形ないしＵ形断面のガスケット３７と、該ガスケット３７に開口から打ち込まれる楔材４０とからなることを特徴とする請求項２又は３記載の防蟻構造。
【請求項７】
両側面と底面をフィルムシート２４で覆った装填材２５が配管４２の周りの溝内４４に装着されることを特徴とする請求項２記載の防蟻構造。
【請求項８】
両側面と底面をフィルムシート２４で覆った装填材２５がエンドレスで環状をなし、配管４２に密に外嵌して溝４４内に装填されることを特徴とする請求項２記載の防蟻構造。
【請求項９】
両側面と底面をフィルムシート２４で覆った装填材２５が溝内の配管４２に接着して密に巻き付けられるか、或いは溝内の配管４２に端部を互いに重ね合わせて密に巻き付けられ、繋ぎ目の端部同士を接着したことを特徴とする請求項２記載の防蟻構造。
【発明の詳細な説明】
【技術分野】
【０００１】
本発明は、土間から立ち上がる建築物の基礎や床下構造物の際又は上下水道管やガス管等の配管の際から白蟻が侵入するのを防止する防蟻構造に関する。
【背景技術】
【０００２】
建物の基礎で囲まれる土間には、土間全面が土間コンクリートで覆われるものと、土間コンクリートで覆われないで土壌が剥き出しになったものとがあり、土間コンクリートで覆われるものにあっても、土中から白蟻が土間から立ち上がる基礎や床下構造体或いは配管と、土間コンクリートとの間の隙間から、又は土間コンクリートのクラックやコンクリート同士の継ぎ目部分の隙間から基礎、床下構造体或いは配管を伝って侵入し、その上の木部を食い荒らす食害を生ずることがある。
【０００３】
そのため従来は、土間から立ち上がる基礎、床下構造体或いは配管の際に防蟻剤を撒いたり、土間全体を防蟻剤で土壌処理し、更には木部に防蟻剤を塗布することが行われているが、こうした薬剤による防蟻処理は３〜５年毎に再処理が必要で、薬剤自体も毒性が強く、作業者や住人に健康被害をもたらしたり、薬剤が雨水や漏水等で流出することによる二次公害を引き起こすおそれがあった。
【０００４】
薬剤を用いない防蟻構造も知られる。下記特許文献１には、図１に示すように土間コンクリート１の基礎２際に断面Ｌ形に曲げ加工した区画形成具３を土間上に基礎２と適宜な間隔を存して防蟻テープにより取付け、基礎２との間に溝状の防蟻層４を形成して該防蟻層内に外径が１〜３ｍｍの発泡ガラスを隙間なく充填して粒子体層５を形成したのち、ガラス繊維板を圧入して繊維体層６を形成し、白蟻の侵入経路である基礎２と土間コンクリート１の境目の隙間７を遮断する構造のものが開示される。
【０００５】
また下記特許文献２には、図２に示すようにポリエチレンテレフタレートＰＥＴ等の樹脂シートとアルミニウム等の金属シートを積層した防蟻シート１１を土間コンクリート１２を打設する前に土壌１３上に敷設し、基礎１４際の地面に掘削形成した三角溝１５にガラス粉を混入した樹脂やパテ等の充填材１６を充填し、その後にコンクリートを打設して土間コンクリート１２を形成した防蟻構造が提案されている。
【先行技術文献】
【特許文献】
【０００６】
【特許文献１】特開２００２−６１３１０号
【特許文献２】特開２００９−３０２７２号
【発明の概要】
【発明が解決しようとする課題】
【０００７】
特許文献１及び２に開示される防蟻構造は、基礎際の溝に粒状の発泡ガラスやガラス粉を混入した充填材を充填するものであるが、充填は白蟻がすり抜けられないように溝に隙間なく敷き詰める必要がある。その上、溝に充填される前者の粒状の発泡ガラスは、当初は隙なく敷き詰められていても地震等の揺れや、溝を形成する区画形成具３に手足や器具が当たったときの衝撃で隙間ができ、この隙間より白蟻が侵入するおそれがある。また後者の充填剤も乾燥固化により基礎との間に隙ができ、これより白蟻が侵入するおそれがある。またいずれの防蟻構造も、一部に欠陥を生じていても外観から欠陥を判断しにくい。
【０００８】
本発明は、土間から立ち上がる建築物の基礎や床下構造物又は配管の隙から白蟻が侵入するのをより確実に防止することができる防蟻構造物を提供することを目的とする。
【課題を解決するための手段】
【０００９】
請求項１に係る発明は、土間から立ち上がる建築物の基礎、床下構造物の際又は上下水道管やガス管等の配管の際の土間に形成される溝と、該溝に装着される役物からなり、該役物は前記溝に押込んで装着され、白蟻が貫通することのできない樹脂製のフィルムシートと、前記溝に装着されたフィルムシート内に装填されて、フィルムシートを溝の両側面である前記基礎や床下構造物の側面又は配管の外周面と、土間側の溝内側面とに押付け、経時変化を起さないか、起し難い装填材とで構成されることを特徴とする。
【００１０】
請求項２に係る発明は、土間から立ち上がる建築物の基礎、床下構造物の際又は上下水道管やガス管等の配管の際の土間に形成される溝と、該溝に装着される役物からなり、該役物は白蟻が貫通することのできない樹脂製のフィルムシートと、両側面と底面をフィルムシートで覆われ、かつ経時変化を起さないか、起し難い装填材とで構成され、役物全体を前記溝に押し込んで装着し、フィルムシートを前記溝の両側面である前記基礎や床下構造物の側面又は配管の外周面と、土間側の溝内側面とに押付けた構造をなすことを特徴とする。
【００１１】
請求項３に係る発明は、請求項１又は２に係る発明において、土間が土間コンクリートであることを特徴とし、
請求項４に係る発明は、請求項１ないし３のいずれかの請求項に係る発明において、役物のフィルムがポリエチレンテレフタレートＰＥＴ（以下、単にＰＥＴという）製であることを特徴とする。
【００１２】
請求項５に係る発明は、請求項１ないし４のいずれかの請求項に係る発明において、役物の装填材はＥＰＤＭ、熱可塑性エラストマー等のゴム様弾性体又は樹脂製の弾性体であることを特徴とする。
【００１３】
請求項６に係る発明は、請求項１ないし３のいずれかの請求項に係る発明において、役物の装填材はＥＰＤＭ又は熱可塑性エラストマー等のゴム様弾性体よりなり、開口を上向きにして前記溝に装着のフィルム内に装填されるコ形ないしＵ形断面をなすか、又は柱部と、該柱部の両側に側方に突設されるリップよりなる断面構造をなすガスケットと、該ガスケットに開口から打ち込まれる楔材とからなることを特徴とし、コ形ないしＵ形断面のガスケットには好ましくは内側面に楔材に当たる突起が形成される。
【００１４】
請求項７に係る発明は、請求項２に係る発明において、両側面と底面をフィルムシートで覆った装填材が配管の周りの溝内に配管に密着して装着されることを特徴とし、
請求項８に係る発明は、請求項２に係る発明において、両側面と底面をフィルムシートで覆った装填材がエンドレスで環状をなし、配管に密に外嵌して溝内に装填されることを特徴とする。
【００１５】
請求項９に係る発明は、請求項２に係る発明において、両側面と底面をフィルムシートで覆った装填材が溝内の配管に接着して密に巻き付けられるか、或いは溝内の配管に端部を互いに重ね合わせて密に巻き付けられ、繋ぎ目の端部同士を接着したことを特徴とする。
【発明の効果】
【００１６】
請求項１及び２に係る発明によると、内側に装填材を装填した白蟻を通さないフィルムシートを溝両側面に押付けることにより、白蟻が建物の基礎や床下構造物の側面又は配管の外周面を伝って侵入するのが防止され、地震等の揺れ、或いは作業時に手足や器具がフィルムシートや装填材に当たっても装填材で溝側面に押付けられるフィルムシートが溝側面より離れにくく、しかも装填材は経時変化を起さないか起し難いため、フィルムシートを溝内側面に長期にわたって確実に押付け、防蟻効果を持続させることができる。また装填材の両側面と底面をフィルムシートで覆った状態で溝内に押し込んで装着するようにすれば、押込み作業が１度ですみ、作業性が向上する。
【００１７】
請求項３に係る発明において、土間コンクリートは地震等の揺れや乾燥等によってクラックを生ずることがあり、このクラックは特にコンクリートの厚みが小さな強度の弱い溝の底部において生じ易いが、溝は防蟻構造となっているため、例え溝底にクラックが生じたとしても防蟻上何等問題がない。
【００１８】
請求項４に係る発明に関し、本発明者らは１００μｍ厚のＰＥＴ製フィルムは、社団法人日本木材保存協会規格エルＰＡＳ−ＴＳ−（１）に適格し、白蟻を通さないことを確認した。またＰＥＴ製フィルムは食料や飲料用の容器として多用されており、薬剤に比べ健康上何等問題がない材質である。
【００１９】
請求項５に係る発明のように、装填材として弾性材を用いると、地震等の揺れにより、或いは作業時にフィルムや装填材に当たってフィルムの溝側面への押付け力が一時的に低下したとしても装填材の復元力によりフィルムが溝側面に押付けられ、防蟻効果を持続させることができる。
【００２０】
請求項６に係る発明によると、楔を打ち込むことによりガスケットを介してフィルムを溝側面に強固に押付けることができ、防蟻効果を確実に生じさせることができる。
【００２１】
請求項7に係る発明によると、既設の配管に対しても、配管の周りに溝を形成して防蟻構造とすることができる。
【００２２】
請求項８に係る発明によると、配管に装着するだけで配管の外周上に隙のない防蟻構造を得ることができる。
【００２３】
請求項９に係る発明によると、装填材の配管への取付けが容易で、既設の配管に対しても取付けることができ、取付けた状態で配管の外周上に隙のない防蟻構造を得ることができる。
なお請求項１に係る発明と請求項２に係る発明は、いずれも溝に装着されるフィルムシートが装填材により溝内側面に押付けられて白蟻の侵入を防止する構造を特別な技術的特徴とするもので、発明の単一性を有しているものである。
【図面の簡単な説明】
【００２４】
【図１】従来の防蟻構造の断面図。
【図２】従来の別の例の防蟻構造の断面図。
【図３】基礎際を防蟻構造とした要部の平面図。
【図４】図３のＡ−Ａ線で示す箇所における本発明に係る防蟻構造の断面図。
【図５】基礎際を防蟻構造とした別の例の基礎要部の平面図。
【図６】別の態様のガスケットを用いた防蟻構造の断面図。
【図７】防蟻構造の別の実施形態の断面図。
【図８】防蟻構造の更に別の実施形態の断面図。
【図９】図８のＢ−Ｂ線での断面図。
【図１０】防蟻構造の更に別の例を示す断面図。
【発明を実施するための形態】
【００２５】
以下、本発明の実施形態の防蟻構造について図面により説明する。
図３は、基礎２１の内側にコンクリートを打設して土間コンクリート２２を形成してなる建物の基礎際を防蟻構造とした要部の平面図を示すものであり、図４は図３のＡ−Ａ線断面の防蟻構造を示すもので、図４に示すように基礎２１際の土間コンクリート２２には、矩形断面の溝２３が基礎２１に沿って形成されている。この溝２３は土間にコンクリートを形成する際に型枠を取付けて形成されるが、既設の土間コンクリート２２においては基礎際をドリルでハツルことによって形成される。
【００２６】
溝２３には樹脂製のフィルムシート、例えばＰＥＴ製で、厚みが５０〜５００μｍであり、断面Ｗ状に折り曲げたフィルムシート２４を押込んで装着し、フィルムシート内には、該フィルムシート２４と共に役物２６を構成する装填材として、形状及び弾性に経時変化を起こしにくいガスケット２５、すなわちＥＰＤＭ又は熱可塑性エラストマーＴＰＯ等のゴム様弾性体よりなり、フィルムシート２４と同様、断面Ｗ状をなすガスケット２５を窄めて押込み、該ガスケット２５の拡開しようとする弾発力によりフィルムシート２４を溝両側の側面である、基礎２１の側面２１ａと、土間コンクリート２２の溝内側面２２ａとに押付けるようにしている。前述するフィルムシート２４は、厚みの厚い方が白蟻の侵入を確実に防ぐことができて好ましい。
本実施形態のフィルムシート２４は厚みが５００μｍまでのシートを使用できるが、断面Ｗ状に折り曲げる際の折り曲げ性や溝への装着性から、厚みは５０〜２００μｍのシートが好ましい。
【００２７】
フィルムシート２４は、一定長さで溝２３に装着する際には長手方向に接続されるが、シート２４の継ぎ目はシート同士が一部、例えば２０〜３０ｍｍ程度重なるようにして接続され、フィルムシート２４が縮み或いは長手方向にずれるようなことがあってもシート間に隙間ができないようにされる。
【００２８】
ガスケット２５は端同士が突き合うようにして接続されるが、フィルムシート２４と同様に継ぎ目に重なり部分を設けてもよい。これにより前述のフィルムシート２４と同様、ガスケット２５が縮み或いは長手方向にずれてもガスケット２５を切れ目なく接続することができる。
【００２９】
図３に示す基礎際に形成される溝２３の入隅及び出隅のコーナ部では、役物２６は図３に示すように斜めにカットして接合されるが、図５に示すようにＬ形の役物２７を形成しておいてコーナ部に装着するようにしてもよい。Ｌ形の役物２７と、該役物同士を接続する役物２６は、両役物２６、２７間に隙間ができないようにフィルムシート２４の端部同士を重ね、更にはガスケット２５の端部同士を重ねて施工するのが容易となる。
【００３０】
また、断面Ｗ状に折り曲げた直線状のフィルムシート２４は切り込みや接着、融着などをすることでＬ形の役物を作製して溝２３に装着することもできる。また、このフィルムシート２４を利用するのに代えてフィルムシート２４と同じ樹脂材料を射出成型で成形するか、又は射出成型ではなく、同じ樹脂材料で成形された平坦なフィルムシートを金型でプレス（必要に応じて真空引きも併用）して必要な形に成形するなど、通常知られる様々な方法で成形することができ、その成形方法は限定されない。
【００３１】
前記実施形態では、フィルムシート２４や役物２７をＬ形のコーナ部に装着した例を示したが、これに限定されることなく、例えばクランク形や十字形、Ｔ字形、卍形など、コーナ部に適宜相応した形に形成して装着することができる。なお、フィルムシートを金型でプレスしてＬ形などの異形へ成形する際、例えば２００μｍの厚みのシートに形成するのに、５００μｍの厚みのフィルムシートを用いてプレスした結果、成形後のシートに２００μｍを超える厚み部分が残ったとしても、溝２３への挿入作業性には影響しない。
【００３２】
本実施形態において、フィルムシート２４やガスケット２５を断面Ｗ状に形成したのは、フィルムシート２４やガスケット２５を窄めて溝２３やフィルムシート内に装着し易くし、装着後は拡開してフィルムシート２４を溝２３の両内側面に密着し易くするためであり、また施工時の溝巾が変化し、或いは施工後に地震等により土間コンクリート２２が基礎２１より離れて、溝２３の溝幅が拡大してもこれに追従してフィルムシート２４の溝両側面への密着を可能とするためでもある。
【００３３】
本実施形態では、充填材として断面Ｗ状に形成したガスケット２５を用いているが、充填材は溝２３に装着したフィルムシート２４を溝側面に押付ける機能を有していればよく、図示するガスケット２５に限定されるものではない。
【００３４】
図６は、別の例のガスケットを用いた防蟻構造を示すもので、本例のガスケット２９はゴム様弾性体で形成されて柱部３０と、該柱部３０の両側に側方に突出形成されるリップ３１よりなり、該ガスケット２９と共に役物３２を構成するＰＥＴ製フィルムシート３３で両側面と底面を覆われて基礎際に沿って形成される断面略矩形ないしバケツ状の溝３４に押し込んで装着されている。図示するフィルムシート３３は溝底全体に密着して押付けられているが、フィルムシート３３が基礎２８の側面２８ａと、土間コンクリート２２の溝内側面２２ａとに押付けられ、白蟻の侵入を防ぐことができるようになっていれば、溝底より若干離れ、浮いた状態で装着されていてもよい。
【００３５】
前述するガスケット２５、２９以外の充填材としては、例えばゴム様弾性体よりなる長いテープ状物を用いてもよい。この場合テープ状物はガスケット２５、２９に代え、必要長さに切断してフィルムシート内に１ないし複数本、押込んで装着されるか、或いはフィルムシート２４、３３で両側面と底面を覆われた状態でフィルムシート２４、３３と共に溝内に押し込んで装着される。
【００３６】
前記実施形態のうち、図４に示す実施形態においては、フィルムシート２４は断面Ｗ形をなして大半が溝底に接していないが、フィルムシート２４を断面Ｗ状に形成しないで、図６に示す実施形態のように溝底全体に密着するようにしてもよいし、逆に溝底には接触しないように装着してもよい。フィルムシート２４は前述するように、溝２３の両内側面２１ａ、２２ａに押付けられて溝２３からの白蟻の侵入を防止できるようになっていればよいのであるが、好ましい態様では、フィルムシート２４は断面略Ｗ状に形成しないで断面Ｕ形ないしコ形又は図６に示すような断面バケツ状をなす溝２３、３４に押し込んで該溝２３、３４の断面形状に沿うように折曲し、溝底にも押付けられるようにして、溝底からの白蟻の侵入を防いで白蟻の侵入防止をより確実に行うことができるようにされる。
【００３７】
前記各実施形態では、フィルムシート２４、３３とガスケット２５、２９は別体をなし、溝２３、３４に別々に装着されるようになっているが、両者を溝２３、３４に装着する前に接着剤や粘着テープにより一体化したり、ガスケット２５、２９を押出成形する際にフィルムシート２４、３３と一体に成形してもよい。一体化することにより溝２３、３４への装着が一度ですむようになり、作業性がよくなる。
【００３８】
図７に示す防蟻構造は、土間コンクリート２２の基礎際に形成される溝３５内に図４及び図６に示すに示す実施形態の防蟻構造と同様、役物３８を構成するフィルムシート３６と、ゴム様弾性体よりなり、内側に突起３９を形成したコ形断面のガスケット３７を個別に、或いはガスケット３７の両側面と底面をフィルムシート３６で覆った状態で溝３５に押し込んで装着したのち、前記ガスケット３７と共に装填材を構成する楔材４０をガスケット３７に図の矢印方向に打ち込んで固定してなるもので、楔材４０は例えば硬質樹脂、硬質ゴム、木或いは金属等で形成される。
【００３９】
本実施形態においては、楔材４０を打ち込まれたガスケット３７は楔材４０部分が押し拡げられ、基礎２１の側面と土間コンクリート２２の溝内側面にフィルムシート３６を介して押し付けられて固定状態となり、地震等の揺れや作業時に外力が加わってもフィルムシート３６を溝側面に押し続け防蟻効果を持続させることができる。この楔材４０は図７に示す断面がガスケット３７と同じ長さに連続している長尺体であってもよいが、そうではなく、ある程度に短い長さの複数の楔材４０を必要箇所へ部分的にガスケット３７へ押し込むようにしてもよい。
【００４０】
本実施形態の防蟻構造においてもフィルムシート３６とガスケット３７は押出により一体形成してもよい。また溝３５のコーナ部では、役物３８を図３に示す役物２６のように斜めにカットして接合させるか、或いは図５に示すようなＬ形の役物２７に形成して装着される。
【００４１】
前記各実施形態の防蟻構造においては、フィルムシート２４、３３、３６は溝２３、３４、３５にのみ押し込んで装着されているが、溝縁にも被さるように装着してもよいし、土間コンクリート上に被せるようにして装着してもよい。いずれの場合であってもフィルム２４、３３、３６の端部は外から見えるようにしておくのが望ましい。
【００４２】
図８及び図９に示す実施形態の防蟻構造は、土間から立ち上がる配管４２の周りの土間コンクリート４３に環状の溝４４を形成し、該溝４４内に図４に示す実施形態の防蟻構造と同様の断面構造をなす役物２６を配管４２に巻き付けるようにして密に装着する。すなわち断面Ｗ状に折り曲げたフィルムシート２４を配管４２の周りの溝４４内に装着し、繋ぎ目の端部同士を重ねて好ましくは端部同士を接着し、周方向に隙間を生じないようにする。その後、フィルムシート内にゴム様弾性体よりなるガスケット２５の端部を重ねるか、或いはガスケット端同士を押付けて円周方向に隙間が形成されないように詰め込む。
【００４３】
別の実施形態では、図４に示すようなフィルムシート２４とガスケット２５よりなる役物２６がエンドレスな環状に形成され、配管４２を施工する前に予め配管４２に密に挿入しておくか、又は配管４２に接着して密に巻き付けておいて配管４２の施工を行う。ガスケット２５は前述するように、フィルムシート２４で包むか又は一体化することができるが、エンドレスに一体化すると、役物２６の接続作業が不要になり、配管４２に装着した際、周方向に隙間ができることはない。
【００４４】
図１０に示す防蟻構造は、土間にコンクリート打ちをして土間コンクリート４６を形成する前に基礎４７際の地面４８を掘削して三角溝４９を形成し、地面上に三角溝４９の斜面までＰＥＴ製のシート５０を敷く。ついで三角溝４９内のシート５０上にＰＥＴ製の中実又は中空状の断面の外形が三角形の装填材である充填物５１を装着し、充填物５１を押し込んで基礎側面に密着させる。その後、前記シート５０上にポリ塩化ビニルＰＶＣ、ポリエチレンＰＥ或いはポリプロピレンＰＰ製のシート５２を敷設し、第１の防蟻構造を形成する。次にその上にコンクリート打ちを行って基礎４７際に矩形断面の溝５３を設けた土間コンクリート４６を形成する。
【００４５】
その後、図４に示す防蟻構造と同様、前記溝５３内に役物２６、すなわちフィルムシートと、ガスケット２５を順に装着するか、或いはフィルムシートとガスケットを一体化した役物２６を装着して第２の防蟻構造を形成する。図４に示す役物２６に代えて図６又は図７に示す役物３２、３８を用いることもできる。
【００４６】
本実施形態によると、二重の防蟻構造を設けることによって防蟻効果をより一層確実に上げることができる。
【符号の説明】
【００４７】
２１、２８、４７・・基礎
２２、４３、４６・・土間コンクリート
２３、３４、３５、５３・・矩形断面の溝
２４、３３、３６・・フィルムシート
２５、２９、３７・・ガスケット
２６、２７、３２、３８・・役物
３０・・柱部
３１・・リップ
３９・・突起
４０・・楔材
４２・・配管
４４・・環状の溝
４８・・地面
４９・・三角溝
５０・・ＰＥＴ製シート
５１・・充填物
５２・・シート
【図１】
2015129435.tif 000003
【図２】
2015129435.tif 000004
【図３】
2015129435.tif 000005
【図４】
2015129435.tif 000006
【図５】
2015129435.tif 000007
【図６】
2015129435.tif 000008
【図７】
2015129435.tif 000009
【図８】
2015129435.tif 000010
【図９】
2015129435.tif 000011
【図１０】
2015129435.tif 000012